【事件の表示】
　平成１１年特許願第１６４４４２号「印刷出力制御装置及び印刷出力制御方法並びにコンピュータ読み取り可能な記録媒体」拒絶査定不服審判事件〔平成１２年１２月１９日出願公開、特開２０００−３５１２４７〕について、次のとおり審決する。
【結　論】
　本件審判の請求は、成り立たない。
【理　由】
１　手続の経緯　
　本願は、平成１１年６月１０日の出願であって、 平成２１年７月２４日に手続補正がなされ、同年１０月６日付けで拒絶査定がなされ、これに対して、平成２２年１月１３日に拒絶査定不服審判が請求されると同時に手続補正がなされ、当審において、平成２２年１月１３日付けの手続補正が平成２３年２月２３日付けで却下されるとともに、同日付けで拒絶の理由（以下「当審拒絶理由」という。）が通知され、同年５月２日に手続補正がなされたものである。
　
２　本願発明
　本願の請求項１ないし３に係る発明は、平成２３年５月２日付け手続補正によって補正された明細書及び図面の記載からみて、その特許請求の範囲の請求項１ないし３に記載された事項によって特定されるとおりのものであると認められるところ、請求項１に係る発明は次のとおりである。
「アプリケーションソフトウェアで作成されたファイルのデータを印刷装置が認識可能な印刷データに変換し、この印刷データを上記印刷装置に供給して、上記印刷装置に上記ファイルの内容を出力させる印刷出力制御手段と、
　上記ファイルの複数ページを上記印刷装置の１枚の印刷用紙に印刷する場合に印刷する各ページの割り付けを行うための数値で表現可能な位置指定及び上記各ページのページサイズに関するレイアウト情報が記憶される記憶手段とを備え、
　上記印刷出力制御手段は、
　上記ファイルの複数ページを上記印刷装置の１枚の印刷用紙に印刷する場合に、印刷する上記各ページが上記レイアウト情報に応じて割り付けられてなる印刷イメージと、上記レイアウト情報に変更を加えるためにユーザがデータを入力することが可能な上記レイアウト情報を上記数値で表示した操作画面と、印刷を開始するための開始ボタンと、印刷を中止するための中止ボタンとを表示装置の同一画面上に表示させる表示制御手段と、
　ユーザからの、上記表示装置に表示された操作画面へのキーボード入力と上記表示装置に表示された印刷イメージに対するドラッグアンドドロップ入力を受け付けて、この入力に基づいて上記レイアウト情報を更新するレイアウト情報更新手段と、
　上記ファイルの複数ページを上記印刷装置の１枚の印刷用紙に印刷する場合に、印刷する各ページのデータを上記レイアウト情報に基づいて上記印刷装置が認識可能な印刷データに変換するデータ変換手段とを有し、
　上記レイアウト情報更新手段は、上記表示制御手段により上記表示装置に表示された上記操作画面へのキーボード入力と上記印刷イメージに対するドラックアンドドロップ入力とによって指示された上記レイアウト情報を更新し、上記表示制御手段は、更新されたレイアウト情報に応じた印刷イメージと操作画面と上記開始ボタンと上記中止ボタンとを上記表示装置の同一画面上に表示する印刷出力制御装置。」（以下「本願発明」という。）
　
３　刊行物の記載事項　
　当審拒絶理由で引用した「本願の出願前に頒布された刊行物である特開平７−３１９８５６号公報（以下「引用例１」という。）」には、図とともに次の事項が記載されている（下線は審決で付した。）。
（１）「【０００１】
【産業上の利用分野】本発明は、
複数の異なるファイルを記憶し、表示画面のウインドウ内で編集されたファイルを印刷装置に出力する情報処理システムおよび情報処理システムの統合印刷方法
【０００２】
【
従来の
印刷方式は、
【０００３】例えば
印刷するファイルを作成したアプリケーションを起動させ印刷する方式や印刷専用アプリケーションを用いる方式
【０００４】また、従来ある印刷方式では、単一のファイルに対して印字属性，出力形態をさまざま変更することは可能である。
【０００５】
【発明が解決しようとする課題】しかし、
複数のファイルを同一の用紙に印刷することはできない
【０００６】本発明は、上記の問題点を解消するためになされたもので、第１〜第１０の発明の
目的は、異なるファイルとして登録された複数のファイルを同時に読み出して同一出力ページ内にレイアウトしながら順次印刷することにより、簡単なファイル選択指示操作で、複数のファイルを同一の用紙に印刷することができる情報処理システムおよび情報処理システムの統合印刷方法を提供する
　
（２）「【００２７】
【実施例】本発明について図面を参照して詳細に説明する。
【００２８】図１は本発明の一実施例を示す情報処理システムの構成を示すブロック図である。この
情報処理システムは、制御部１０１０，入力装置１０２０，表示装置１０３０，記憶装置１０４０，印刷装置１０５０等から主要部が構成され
制御部１０１０は、ＣＰＵ等のプロセッサを備えており、ＲＯＭ，ＲＡＭ等を含む記憶装置１０４０に記憶された各種の制御プログラムに基づいて各部の処理を制御し
印刷装置１０５０に対する印刷データは、図示しないＯＳ（オペレーティングシステム）がプリンタドライバを制御することにより、印刷装置１０５０に対する制御コマンド等に変換されて送出される
　
（３）「【００４０】図２，図３は本発明に係る情報処理システムの統合印刷方法の一実施例を示すフローチャートである。なお、（１）〜（２３）は各ステップを示す。
制御部１０１０が読み込む指定ファイルがあるか判断する（１）と、制御部１０１０が指定ファイルの情報を調べ設定して（２）、ステップ（１）に戻る
【００４１】
一方、ステップ（１）の判定でＮＯの場合は、制御部１０１０がデフォルトの情報を設定する
【００４２】次に、制御部１０１０が
各指定ファイルの印刷オリエンテーションは同一かどうかを判断し（４）、ＮＯならば制御部１０１０がデフォルトの印刷オリエンテーションを設定して
【００４３】一方、ステップ（４）の判定で
ＹＥＳの場合は、制御部１０１０がファイルオリエンテーションはポートレイトかどうかを判断し（６）、ＮＯならば制御部１０１０が印刷オリエンテーションをポートレイトに設定して（７）、ステップ（９）以降に進み、ＹＥＳならば制御部１０１０が印刷オリエンテーションをランドスケープに設定する
【００４４】次いで、
制御部１０１０がデフォルトの印刷用紙サイズ，印刷レイアウトを設定し（９）、制御部１０１０が各ファイルの印刷に必要な情報を計算し設定し（１０）、制御部１０１０が印刷イメージを表示する
【００４５】次いで、
制御部１０１０が“印刷”の項目が選択されたかどうかを判断する（１２）、ＹＥＳならば制御部１０１０が印刷の処理をする
【００４６】一方、ステップ（１２）の判定で
ＮＯの場合は、制御部１０１０が“キャンセル”の項目が選択されたかどうかを判断し（１４）、ＹＥＳならば処理を終了し、ＮＯならば制御部１０１０が“プレビュー”の項目が選択されたかどうかを判断し（１５）、ＹＥＳならば制御部１０１０がプレビューイメージを表示
【００４７】一方、ステップ（１５）の判定でＮＯの場合は、
制御部１０１０が“印刷用紙サイズ”の項目が変更されたかどうかを判断し（１７）、ＹＥＳならば制御部１０１０が印刷用紙サイズのデータを変更し
【００４８】一方、ステップ（１７）の判定でＮＯの場合は、
制御部１０１０が“印刷レイアウト”の項目が変更されたかどうかを判断し（１９）、ＹＥＳならば制御部１０１０が印刷レイアウトのデータを変更して（２０）、制御部１０１０が印刷オリエンテーションを最適なものに変更し
【００４９】一方、ステップ（１９）の判定でＮＯの場合は、
制御部１０１０が“印刷オリエンテーション”の項目が変更されたかどうかを判断し
ＹＥＳならば制御部１０１０が印刷オリエンテーションのデータを変更し
【００５０】図４は、図１に示した表示装置１０３０に表示されるウィンドウ構成を示す図である。
【００５１】図５は、図１に示した記憶装置に記憶されるデータ構造図である。
【００５２】図６は、図１に示した表示装置に表示される操作画面の図である。
【００５３】図７〜図１０は、図１に示した表示装置に表示される印刷イメージを説明する図である。
【００５４】次に、図４から図１０までを参照しながら詳細を説明する。
【００５５】まず、ユーザの使用する情報処理システムにおいて、図４に示すようなウィンドウシステム４０３０があるとする。このウィンドウシステム４０３０にはウィンドウ４０１０があり、ウィンドウにはユーザが作成した複数のファイルがアイコン４０２０−Ａ，４０２０−Ｂ，４０２０−Ｃ，４０２０−Ｄで、本発明の印刷方式を実現する
制御部１０１０がアイコン４０４０
【００５６】
ユーザは入力装置１０２０により単一もしくは複数のファイルを選択し制御部１０１０を実行する
制御部１０１０は指定されたファイルの情報を調べ、図５の（ｃ）に示すようなデータ構造でファイル名，ファイルオリエンテーション，描画サイズなどを記憶装置１０４０に設定
【００５７】次に
制御部１０１０は印刷オリエンテーション，印刷用紙サイズ，印刷レイアウトなど、印刷に必要なデフォルトの情報を図５の（ａ）に示すようなデータ構造で記憶装置１０４０に設定
記憶装置１０４０に保持してある図５（ｃ）のデータを参照して判断する
【００５８】制御部１０１０はファイルオリエンテーションが同一であると判断した場合、そのファイルオリエンテーションがポートレイトであるか、記憶装置１０４０に保持してある図５の（ｃ）のデータを参照して判断する（図２のステップ（６））。
【００５９】制御部１０１０はファイルオリエンテーションがポートレイトであると判断した場合、制御部１０１０は印刷オリエンテーションがランドスケープであることを図５の（ｂ）に示すようなデータ構造で記憶装置１０４０に設定する（図２のステップ（８））。
【００６０】また、制御部１０１０はファイルオリエンテーションがポートレイトでないと判断した場合、制御部１０１０は印刷オリエンテーションがポートレイトであることを図５の（ｂ）に示すようなデータ構造で記憶装置１０４０に設定する（７）。
【００６１】次に、制御部１０１０は記憶装置１０４０に保持してある図５の（ａ）のデータを参照してデフォルトの印刷用紙サイズ，印刷レイアウトを図５の（ｂ）に示すようなデータ構造で記憶装置１０４０に設定する（図２のステップ（９））。
制御部１０１０は記憶装置１０４０に保持してある図５の（ｂ），（ｃ）のデータを参照して印刷に必要な拡大縮小率，印字位置などが最適になるように計算し、そのデータを図５の（ｃ）に示すようなデータ構造で記憶装置１０４０に設定する
【００６２】
制御部１０１０は記憶装置１０４０に保持してある図５（ｂ）および（ｃ）のデータを参照し、図６に示すような印刷イメージおよび印刷に関する情報を示す印刷イメージウィンドウ６０００を表示装置１０３０に表示する
【００６３】例えば図６はユーザが入力装置１０２０によりファイルオリエンテーションがポートレイトである図４のＦｉｌｅ−ＡとＦｉｌｅ−Ｂの２ファイルを指定し、制御部１０１０を実行した場合の例である。この場合、制御部１０１０は図２のステップ（１），（２），（３）を実行する。そして、制御部１０１０はステップ（４）でファイルオリエンテーションが同一であると判断し、ステップ（６）でファイルオリエンテーションがポートレイトと判断し、ステップ（８）で印刷オリエンテーションをランドスケープと設定し、ステップ（９），（１０）を実行する。
制御部１０１０は図５の（ｂ），（ｃ）のデータを参照し、図６に示すような印刷イメージウィンドウ６０００，印刷用紙枠６０７０，Ｆｉｌｅ−Ａの描画枠６０８０，Ｆｉｌｅ−Ｂの描画枠６０９０，ファイル情報などを表示装置１０４０に表示
【００６４】また、図７はユーザが入力装置１０２０によりファイルオリエンテーションがランドスケープである図４のＦｉｌｅ−ＣとＦｉｌｅ−Ｄの２ファイルを指定し、制御部１０１０を実行した場合の例である。この場合、制御部１０１０は図２のステップ（１），（２），（３）を実行する。
【００６５】そして、制御部１０１０はステップ（４）でファイルオリエンテーションが同一であると判断し、ステップ（６）でファイルオリエンテーションがポートレイトでないと判断し、ステップ（７）で印刷オリエンテーションをポートレイトと設定し、ステップ（８），（９）を実行する。制御部１０１０は図５の（ｂ），（ｃ）のデータを参照し、図７に示すような印刷イメージを表示装置１０４０に表示する。
【００６６】そして、図８はユーザが入力装置１０２０により図４のファイルオリエンテーションがポートレイトであるＦｉｌｅ−ＡとランドスケープであるＦｉｌｅ−Ｃの２ファイルを指定し、制御部１０１０を実行した場合の例である。
【００６７】この場合、制御部１０１０は図２のステップ（１），（２），（３）を実行する。そして、制御部１０１０はＦｉｌｅ−ＡとＦｉｌｅ−Ｃのファイルオリエンテーションをステップ（４）で同一でないと判断し、ステップ（５）でデフォルトの印刷オリエンテーションを設定し、ステップ（８），（９）を実行する。制御部１０１０は図５の（ｂ），（ｃ）のデータを参照し、デフォルトのファイルオリエンテーションがポートレイトであれば図８の（ａ）に示すような印刷イメージを表示装置１０３０に表示する。制御部１０１０はデフォルトのファイルオリエンテーションがランドスケープであれば、図８の（ｂ）に示すような印刷イメージを表示装置１０３０に表示する。
【００６８】次にユーザが入力装置１０２０によりファイルオリエンテーションがポートレイトである図４におけるＦｉｌｅ−ＡとＦｉｌｅ−Ｂの２ファイルを指定し、図６が表示装置１０３０に表示された以降の処理について説明する。
【００６９】制御部１０１０はユーザが入力装置１０２０により“印刷”の項目６０６０を選択したか判断する（図２のステップ（１））。ユーザが“印刷”の項目６０６０を選択した場合、制御部１０１０は図５（ｂ）および（ｃ）を参照して印刷の処理を行い（図２のステップ（２））、印刷データを印刷装置１０５０に転送し制御部１０１０は終了する。ユーザが“印刷”項目６０６０を選択しなかった場合、制御部１０１０は次の処理を行う。
【００７０】次に、制御部１０１０はユーザが入力装置１０２０により“キャンセル”の項目６０５０を選択したか判断する（図２のステップ（４））。ユーザが“キャンセル”の項目６０５０を選択した場合、制御部１０１０は全ての処理を中止し終了する。ユーザが“キャンセル”の項目６０５０を選択しなかった場合、制御部１０１０は次の処理を行う。
【００７１】次に、
制御部１０１０はユーザが入力装置１０２０により“プレビュー”の項目６０４０を選択したか判断
ユーザが“プレビュー”の項目６０４０を選択した場合、制御部１０１０は図５の（ｂ），（ｃ）のデータと印字するデータを参照し拡大縮小などの処理を行いプレビューイメージを表示装置１０３０に表示
【００７２】
例えば印刷イメージが図６の状態において“プレビュー”の項目６０４０をユーザが選択した場合、制御部１０１０は図１０に示すようなプレビューイメージを表示装置１０３０に表示
【００７３】次に、制御部１０１０はユーザが入力装置１０２０により“印刷用紙サイズ”の項目６０１０を変更したか判断する（図２のステップ（６））。ユーザが“印刷用紙サイズ”の項目６０１０を変更した場合、制御部１０１０はユーザが選択した項目を認識して図５の（ｂ）の印刷用紙サイズのデータを変更する（図２のステップ（７））。制御部１０１０はそのデータを反映させるため再度印刷に必要な拡大縮小率，印字位置などが最適になるよう計算し、その結果を図５の（ｃ）に示すようなデータ構造で記憶装置１０４０に設定する（図２のステップ（１０））。制御部１０１０は記憶装置１０４０に保持してある図５の（ｂ），（ｃ）のデータを参照して、印刷イメージを再度表示装置１０３０に表示する（図２のステップ（１１））。ユーザが“印刷用紙サイズ”の項目６０１０を変更しなかった場合、制御部１０１０は次の処理を行う。
【００７４】次に、制御部１０１０はユーザが入力装置１０２０により“印刷レイアウト”の項目６０２０を変更したか判断する（図２のステップ（８））。ユーザが“印刷レイアウト”の項目６０２０を変更した場合、制御部１０１０は選択された項目を認識して図５の（ｂ）の印刷レイアウトのデータを変更する（図２のステップ（９））。制御部１０１０は記憶装置１０４０に保持してある図５の（ｂ）および（ｃ）のデータを参照して、最適な印刷オリエンテーションのデータを図５の（ｂ）に示すようなデータ構造で記憶装置１０４０に再設定する（１０）。制御部１０１０は記憶装置１０４０に保持してある図５の（ｂ），（ｃ）のデータを参照して、印刷イメージを表示装置１０３０に表示する（図２のステップ（１１））。ユーザが“印刷レイアウト”の項目６０２０を変更しなかった場合、制御部１０１０は次の処理を行う。
【００７５】例えば図６の状態においてユーザが印刷レイアウトを“２ページを１枚に”から“４ページを１枚に”へ変更した場合、制御部１０１０は図９の（ａ）の印刷イメージを表示装置１０３０に表示する。
【００７６】また、印刷イメージが図７の状態においてユーザが印刷レイアウトを“２ページを１枚に”から“４ページを１枚に”へ変更した場合、制御部１０１０は図９の（ｂ）の印刷イメージを表示装置１０３０に表示する。
【００７７】次に、制御部１０１０はユーザが入力装置１０２０により“印刷オリエンテーション”の項目６０３０を変更したか判断する（図２のステップ（１１））。ユーザが“印刷オリエンテーション”の項目６０３０を変更した場合、制御部１０１０は選択された項目を認識して図５の（ｂ）の印刷オリエンテーションのデータを変更する（図３のステップ（１２））。制御部１０１０はそのデータを反映させるため再度印刷に必要な拡大縮小率，印字位置などが最適になるよう計算し、その結果を図５の（ｃ）に示すようなデータ構造で記憶装置１０４０に設定する（図２のステップ（１１）。制御部１０１０は記憶装置１０４０に保持してある図５の（ｂ），（ｃ）のデータを参照して、印刷イメージを表示装置１０３０に再表示する（図２のステップ（１１））。ユーザが“印刷オリエンテーション”の項目６０３０を変更した場合、制御部１０１０は次の処理を行う。
【００７８】例えば印刷イメージが図８の（ａ）の状態において、ユーザが印刷レイアウトを“ポートレイト”から“ランドスケープ”へ変更した場合、制御部１０１０は図８の（ｂ）の印刷イメージを表示装置１０３０に表示する。
〔他の実施例〕なお、
本発明は、情報処理システムとしてパーソナルコンピュータ，ワークステーション，ミニコンピュータ等に適用でき
制御部はソフトウェアであってもよく、ＲＯＭ等で構成されていてもよく、入力装置はキーボード，ポインティングデバイス（いわゆるマウス），トラックボール，ソフトウェア等であってもよく、表示装置はＣＲＴ，液晶ディスプレイ等であってもよく、記憶装置は半導体メモリ，磁気ディスク装置，光磁気ディスク装置，磁気テープ装置等であってもよく、印刷装置はプリンタ，プロッタ等であってもよい
【００７９】なお、
本発明は、複数の機器から構成されるシステムに適用しても、１つの機器から成る装置に適用しても良い。また、本発明はシステムあるいは装置にプログラムを供給することによって達成させる場合にも適用できる
　
（４）記憶装置に記憶されるデータ構造図である図５（ａ）ないし（ｃ）の記載から次のアないしウのことが見て取れる。
　ア　印刷に必要な印刷オリエンテーション、印刷用紙サイズ及び印刷レイアウトのデフォルトの情報は、それぞれ、「ランドスケープ」、「Ａ４」及び「２ｐａｇｅ／１ｐａｐｅｒ」であること。
　イ　指定されたファイルの情報を調べ記憶装置１０４０に設定するデータ構造は、ファイル名、ファイルオリエンテーション、描画サイズ、拡大縮小率、印字位置などの情報からなること。
　ウ　上記イの印字位置は、「ｘａ，ｙａ」や「ｘｂ，ｙｂ」で表されているところ、このｘａ、ｙａ、ｘｂ及びｙｂは、座標位置の数値をアルファベットで示したものであること。
　
（５）表示装置に表示される操作画面の図である図６の記載から、表示装置に表示される操作画面である印刷イメージウィンドウ６０００には、“印刷用紙サイズ”の項目としてＡ５、Ａ４、Ａ３、Ｂ５及びＢ４のいずれかをユーザが選択できるように表示され、デフォルトのＡ４が選択されており、“印刷レイアウト”の項目として、２ページを１枚に印刷する及び４ページを１枚に印刷するのいずれかをユーザが選択できるように表示され、デフォルトの２ページを１枚に印刷するが選択されており、“印刷オリエンテーション”の項目として、ポートレイト及びランドスケープのいずれかをユーザが選択できるように表示され、デフォルトのランドスケープが選択されており、“印刷”の項目、“キャンセル”の項目及び“プレビュー”の項目もユーザが選択することができるようにボタン形式で表示されており、同じ印刷イメージウィンドウ６０００には、ランドスケープの印刷用紙枠６０７０が表示され、該印刷用紙枠６０７０内に、Ｆｉｌｅ−Ａのポートレイトの一のページを描画する長方形の描画枠６０８０及びＦｉｌｅ−Ｂのポートレイトの一のページを描画する長方形の描画枠６０９０が横に並べて表示され、各描画枠内に、アルファベットのファイル名、数字のページ番号、及び、ＸＸで表現された２桁の数字に％記号を続けたパーセント表示の拡大縮小率からなるファイル情報が表示されていることが見て取れる。
　
（６）上記（１）ないし（５）から、引用例１には、
「印刷するファイルを作成したアプリケーションを起動させ印刷する方式や印刷専用アプリケーションを用いる方式などである従来の印刷方式では複数のファイルを同一の用紙に印刷することはできないので、異なるファイルとして登録された複数のファイルを同時に読み出して同一出力ページ内にレイアウトしながら順次印刷することにより、簡単なファイル選択指示操作で、複数のファイルを同一の用紙に印刷することができる情報処理システムおよび情報処理システムの統合印刷方法を提供することを目的とし、
　制御部、入力装置、表示装置、記憶装置、印刷装置等から主要部が構成され、
　前記制御部は、ＣＰＵ等のプロセッサを備えており、ＲＯＭ，ＲＡＭ等を含む記憶装置に記憶された各種の制御プログラムに基づいて各部の処理を制御するものであり、かつ、オペレーティングシステムがプリンタドライバを制御することにより、アプリケーションが作成した印刷するファイルを、印刷装置に対する制御コマンド等に変換して、印刷装置に送出するものであり、
　前記記憶装置には、印刷に必要な印刷オリエンテーション、印刷用紙サイズ及び印刷レイアウトのデフォルトの情報として、それぞれ、「ランドスケープ」、「Ａ４」及び「２ｐａｇｅ／１ｐａｐｅｒ」が記憶されており、
　指定されたファイルの情報を調べて前記記憶装置に設定するデータ構造は、ファイル名、ファイルオリエンテーション、描画サイズ、拡大縮小率、座標位置の数値からなる印字位置などの情報からなっており、
　ユーザが前記入力装置により単一もしくは複数のファイルを選択し該制御部を実行させると、
　該制御部は、
（１）読み込む指定ファイルがあるか判断し、あれば指定ファイルの情報を調べ設定して、次に前記デフォルトの情報を設定し、
（２）各指定ファイルの印刷オリエンテーションは同一かどうかを判断し、同一でなければデフォルトの印刷オリエンテーションを設定し、同一である場合は、ファイルオリエンテーションはポートレイトかどうかを判断し、ポートレイトでなければ印刷オリエンテーションをポートレイトに設定し、ポートレイトであれば印刷オリエンテーションをランドスケープに設定し、
（３）デフォルトの印刷用紙サイズ及び印刷レイアウトを設定し、
（４）印刷に必要な拡大縮小率、印字位置などが最適になるように、各ファイルのファイル名とともに、各ファイルの印刷に必要なファイルオリエンテーション、描画サイズ、拡大縮小率、印字位置などの情報を計算し設定し、
（５）上記（２）ないし（４）の設定データを参照し、印刷イメージ及び印刷に関する情報を同じウインドウ内に示す操作画面である印刷イメージウィンドウを前記表示装置に表示し、
（６）“印刷”の項目が選択されたかどうかを判断し、選択されたならば印刷の処理を実行し、
（７）“キャンセル”の項目が選択されたかどうかを判断し、選択されたならば処理を終了し、
（８）“プレビュー”の項目が選択されたかどうかを判断し、選択されたならば、印字するデータを参照し拡大縮小などの処理を行いプレビューイメージを前記表示装置に表示し、
（９）“印刷用紙サイズ”の項目が変更されたかどうかを判断し、変更されたならば印刷用紙サイズのデータを変更し、
（１０）“印刷レイアウト”の項目が変更されたかどうかを判断し、変更されたならば印刷レイアウトのデータを変更して、印刷オリエンテーションを最適なものに変更し、
（１１）“印刷オリエンテーション”の項目が変更されたかどうかを判断し、変更されたならば印刷オリエンテーションのデータを変更し、
　上記（６）の“印刷”の項目又は上記（７）の“キャンセル”の項目が選択されるまで、上記（４）ないし（１１）を繰り返すものであり、
　前記印刷イメージは、デフォルトの２ページを１枚に印刷する及びランドスケープが選択されているときには、ランドスケープの印刷用紙枠、該印刷用紙枠内に２つ横に並んだ各々ポートレイトの一のページを描画する長方形の描画枠であり、
　前記印刷に関する情報は、いずれもユーザが選択できるように表示されている“印刷用紙サイズ”の項目としてのＡ５、Ａ４、Ａ３、Ｂ５及びＢ４、“印刷レイアウト”の項目としての２ページを１枚に印刷する及び４ページを１枚に印刷する、“印刷オリエンテーション”の項目としてのポートレイト及びランドスケープ、“印刷”の項目ボタン、“キャンセル”の項目ボタン及び“プレビュー”の項目ボタンと、各前記描画枠内に表示されたアルファベットのファイル名、数字のページ番号及びＸＸで表現された２桁の数字に％記号を続けたパーセント表示の拡大縮小率からなるファイル情報とからなるものであり、
　前記制御部はソフトウェアであってもよく、ＲＯＭ等で構成されていてもよく、
　前記入力装置はキーボード、ポインティングデバイス（いわゆるマウス）、トラックボール、ソフトウェア等であってもよく、
　前記表示装置はＣＲＴ、液晶ディスプレイ等であってもよく、
　前記記憶装置は半導体メモリ、磁気ディスク装置、光磁気ディスク装置、磁気テープ装置等であってもよく、
　前記印刷装置はプリンタ、プロッタ等であってもよく、
　当該情報処理システムとしてパーソナルコンピュータ、ワークステーション、ミニコンピュータ等に適用でき、複数の機器から構成されてもよく、１つの機器から成る装置に適用してもよく、システムあるいは装置にプログラムを供給することによって達成させる場合にも適用できる、情報処理システムおよび情報処理システムの統合印刷方法。」の発明（以下「引用発明」という。）が記載されているものと認められる。
　
４　対比
　本願発明と引用発明とを対比する。
（１）引用発明の「アプリケーション」、「印刷するファイル」、「印刷装置」、「印刷装置に対する制御コマンド等に変換」、「印刷装置に対する制御コマンド等」、「印刷装置に送出」、「『制御部』及び『プリンタドライバ』」、「２ｐａｇｅ／１ｐａｐｅｒ」、「印字位置」、「描画サイズ」、「印刷オリエンテーション、印刷用紙サイズ、印刷レイアウト」、「記憶装置」、「『印刷イメージ』及び『プレビューイメージ』」、「印刷イメージウィンドウ」、「“印刷”の項目」、「“キャンセル”の項目」、「表示装置」、「ユーザ」、「プリンタドライバ」及び「情報処理システム」は、それぞれ、本願発明の「アプリケーションソフトウェア」、「ファイルのデータ」、「印刷装置」、「印刷装置が認識可能な印刷データに変換」、「印刷データ」、「印刷装置に供給」、「『印刷出力制御手段』、『表示制御手段』及び『レイアウト情報更新手段』」、「上記ファイルの複数ページを上記印刷装置の１枚の印刷用紙に印刷する」、「位置指定」、「各ページのページサイズ」、「レイアウト情報」、「記憶手段」、「印刷イメージ」、「操作画面」、「印刷を開始するための開始ボタン」、「印刷を中止するための中止ボタン」、「表示装置」、「ユーザ」、「データ変換手段」及び「印刷出力制御装置」に相当する。
　
（２）引用発明において、「印刷出力制御装置（情報処理システム）」は、「印刷出力制御手段（制御部及びプリンタドライバ）」、入力装置、表示装置、記憶装置、「印刷装置」等から主要部が構成され、簡単なファイル選択指示操作で、複数のファイルを同一の用紙に印刷することができるものであり、その「印刷出力制御手段」は、「アプリケーションソフトウェア（アプリケーション）」が作成した「ファイルのデータ（印刷するファイル）」を、「印刷装置が認識可能な印刷データに変換（印刷装置に対する制御コマンド等に変換）」して、「印刷装置に供給（印刷装置に送出）」するものであるから、引用発明の「印刷出力制御手段」と本願発明の「印刷出力制御手段」とは「アプリケーションソフトウェアで作成されたファイルのデータを印刷装置が認識可能な印刷データに変換し、この印刷データを上記印刷装置に供給して、上記印刷装置に上記ファイルの内容を出力させる」点で一致する。
　
（３）引用発明において、「記憶手段（記憶装置）」には、印刷に必要な印刷オリエンテーション、印刷用紙サイズ及び印刷レイアウトのデフォルトの情報として、それぞれ、「ランドスケープ」、「Ａ４」及び「上記ファイルの複数ページを上記印刷装置の１枚の印刷用紙に印刷する（２ｐａｇｅ／１ｐａｐｅｒ）」ことが記憶されており、ユーザが前記入力装置により単一もしくは複数のファイルを選択し該制御部を実行させると、該制御部は、そのデフォルトの印刷用紙サイズ及び印刷レイアウトを設定し、印刷に必要な拡大縮小率、「位置指定（印字位置）」などが最適になるように、各ファイルのファイル名とともに、各ファイルの印刷に必要なファイルオリエンテーション、「各ページのページサイズ（描画サイズ）」、拡大縮小率、座標位置の数値からなる「位置指定（印字位置）」などの情報を計算し設定しており、「記憶手段（記憶装置）」に設定するデータ構造は、ファイル名、ファイルオリエンテーション、「各ページのページサイズ（描画サイズ）」、拡大縮小率、座標位置の数値からなる「位置指定（印字位置）」などの情報からなっており、かつ、上記「各ページのページサイズ（描画サイズ）」は、表示装置に表示する操作画面である印刷イメージウィンドウ内に示される印刷イメージの描画枠が長方形であることからみて、長方形の各ページの縦横の長さを数値で示すことで表現可能なものであることが明らかであるから、引用発明の「記憶手段（記憶装置）」と本願発明の「記憶手段」とは「上記ファイルの複数ページを上記印刷装置の１枚の印刷用紙に印刷する場合に印刷する各ページの割り付けを行うための数値で表現可能な位置指定及び上記各ページのページサイズに関するレイアウト情報が記憶される」点で一致する。
　ここで、上記「ファイルの複数ページを上記印刷装置の１枚の印刷用紙に印刷する（２ｐａｇｅ／１ｐａｐｅｒ）」、「拡大縮小率」、「位置指定（印字位置）」及び「各ページのページサイズ（描画サイズ）」は、いずれも、本願発明の「ファイルの複数ページを印刷装置の１枚の印刷用紙に印刷する場合に印刷する各ページの割り付けを行うための数値で表現可能なレイアウト情報」に相当し、上記「ファイルの複数ページを上記印刷装置の１枚の印刷用紙に印刷する（２ｐａｇｅ／１ｐａｐｅｒ）」は、「位置指定」及び「各ページのページサイズ」の両方に関するレイアウト情報であるといえ、上記「拡大縮小率」及び「各ページのページサイズ（描画サイズ）」は、「各ページのページサイズ」に関するレイアウト情報であるといえ、さらに、上記「位置指定（印字位置）」は、「位置指定」に関するレイアウト情報であるといえる。
　
（４）引用発明の「印刷出力制御装置（情報処理システム）」は、「印刷出力制御手段（制御部及びプリンタドライバ）」、入力装置、「表示装置」、「記憶手段（記憶装置）」、「印刷装置」等から主要部が構成さているから、本願発明の「印刷出力制御装置」と、「『印刷出力制御手段』と、『記憶手段』とを備え」る点で一致する。　
　
（５）引用発明において、「表示制御手段及びレイアウト情報更新手段（制御部）」は、ユーザが前記入力装置により単一もしくは複数のファイルを選択し該制御部を実行させると、読み込む指定ファイルがあれば指定ファイルの情報を調べ設定して、次に前記デフォルトの情報を設定し、印刷オリエンテーションをポートレイト又はランドスケープに設定し、デフォルトの印刷用紙サイズ及び印刷レイアウトを設定し、印刷に必要な拡大縮小率、印字位置などが最適になるように、各ファイルの印刷に必要なファイルオリエンテーション、描画サイズ、拡大縮小率、座標位置の数値からなる印字位置などの情報を計算し、各ファイルのファイル名とともに設定し、以上の設定データを参照し、印刷イメージ及び印刷に関する情報を同じウインドウ内に示す操作画面である印刷イメージウィンドウを前記表示装置に表示し、ここで、前記印刷イメージは、デフォルトの２ページを１枚に印刷する及びランドスケープが選択されているときには、ランドスケープの印刷用紙枠、該印刷用紙枠内に２つ横に並んだ各々ポートレイトの一のページを描画する長方形の描画枠であり、前記印刷に関する情報は、いずれもユーザが選択できるように表示されている“印刷用紙サイズ”の項目としてのＡ５、Ａ４、Ａ３、Ｂ５及びＢ４、“印刷レイアウト”の項目としての２ページを１枚に印刷する及び４ページを１枚に印刷する、“印刷オリエンテーション”の項目としてのポートレイト及びランドスケープ、“印刷”の項目ボタン、“キャンセル”の項目ボタン及び“プレビュー”の項目ボタンと、各前記描画枠内に表示されたアルファベットのファイル名、数字のページ番号、及び、ＸＸで表現された２桁の数字に％記号を続けたパーセント表示の拡大縮小率からなるファイル情報とからなるものであり、“プレビュー”の項目が選択されたならば印字するデータを参照し拡大縮小などの処理を行いプレビューイメージを前記表示装置に表示し、“印刷用紙サイズ”の項目が変更されたならば印刷用紙サイズのデータを変更し、“印刷レイアウト”の項目が変更されたならば印刷レイアウトのデータを変更して、印刷オリエンテーションを最適なものに変更し、“印刷オリエンテーション”の項目が変更されたならば印刷オリエンテーションのデータを変更し、“印刷”の項目又は“キャンセル”の項目が選択されるまで、以上を繰り返すものであるから、上記（１）に照らせば、引用発明の「表示制御手段」と本願発明の「表示制御手段」とは「上記ファイルの複数ページを上記印刷装置の１枚の印刷用紙に印刷する場合に、印刷する上記各ページが上記レイアウト情報に応じて割り付けられてなる印刷イメージと、上記レイアウト情報に変更を加えるためにユーザがデータを入力することが可能な上記レイアウト情報を上記数値で表示した操作画面と、印刷を開始するための開始ボタンと、印刷を中止するための中止ボタンとを表示装置の同一画面上に表示させる」ものである点で一致し、引用発明の「レイアウト情報更新手段」と本願発明の「ユーザからの、上記表示装置に表示された操作画面へのキーボード入力と上記表示装置に表示された印刷イメージに対するドラッグアンドドロップ入力を受け付けて、この入力に基づいて上記レイアウト情報を更新するレイアウト情報更新手段」とは「ユーザからの、上記表示装置に表示された操作画面への入力を受け付けて、この入力に基づいて上記レイアウト情報を更新する」点で一致するといえる。
　ここで、引用発明の「２ページを１枚に印刷する」の「２」、「４ページを１枚に印刷する」の「４」及び「ＸＸで表現された２桁の数字に％記号を続けたパーセント表示の拡大縮小率」の「ＸＸで表現された２桁の数字」は、いずれも、本願発明の「数値で表現可能な位置指定及び上記各ページのページサイズに関するレイアウト情報を上記数値で表示した」ものに相当する。
　
（６）引用発明において、「データ変換手段（プリンタドライバ）」は、オペレーティングシステムに制御されることにより、アプリケーションが作成した印刷するファイルを、「印刷装置が認識可能な印刷データに変換（印刷装置に対する制御コマンド等に変換）」して、印刷装置に送出するものであり、「印刷出力制御装置（情報処理システム）」は、簡単なファイル選択指示操作で、複数のファイルを同一の用紙に印刷することができるものであり、「レイアウト情報（印刷オリエンテーション、印刷用紙サイズ、印刷レイアウト）」は、印刷に必要な情報として記憶され、いずれもユーザが選択できるように項目として表示されていて、該表示されている項目がユーザにより変更されたかどうかが判断され、項目が変更されたならば記憶されているデータも変更されるようになっているから、引用発明の「データ変換手段」と本願発明の「データ変換手段」とは「上記ファイルの複数ページを上記印刷装置の１枚の印刷用紙に印刷する場合に、印刷する各ページのデータを上記レイアウト情報に基づいて上記印刷装置が認識可能な印刷データに変換する」点で一致するといえる。
　
（７）引用発明において、「レイアウト情報更新手段及び表示制御手段（制御部）」は、“印刷用紙サイズ”の項目が変更されたならば印刷用紙サイズのデータを変更し、“印刷レイアウト”の項目が変更されたならば印刷レイアウトのデータを変更して、印刷オリエンテーションを最適なものに変更し、“印刷オリエンテーション”の項目が変更されたならば印刷オリエンテーションのデータを変更し、印刷に必要な拡大縮小率、印字位置などが最適になるように、各ファイルのファイル名とともに、各ファイルの印刷に必要なファイルオリエンテーション、描画サイズ、拡大縮小率、印字位置などの情報を計算し設定し、設定データを参照し、印刷イメージ及び印刷に関する情報を同じウインドウ内に示す操作画面である印刷イメージウィンドウを前記表示装置に表示し、“プレビュー”の項目が選択されたならば、印字するデータを参照し拡大縮小などの処理を行いプレビューイメージを前記表示装置に表示することを、“印刷”の項目又は“キャンセル”の項目が選択されるまで繰り返すものであるから、引用発明の「レイアウト情報更新手段」と本願発明の「『上記表示制御手段により上記表示装置に表示された上記操作画面へのキーボード入力と上記印刷イメージに対するドラックアンドドロップ入力とによって指示された上記レイアウト情報を更新』する『レイアウト情報更新手段』」とは「上記表示制御手段により上記表示装置に表示された上記操作画面への入力とによって指示された上記レイアウト情報を更新」する点で一致し、引用発明の「表示制御手段」と本願発明の「表示制御手段」とは「更新されたレイアウト情報に応じた印刷イメージと操作画面と上記開始ボタンと上記中止ボタンとを上記表示装置の同一画面上に表示する」点で一致する。
　
（８）上記（１）のとおり、引用発明の「印刷出力制御手段（制御部及びプリンタドライバ）」は、本願発明の「表示制御手段及びレイアウト情報更新手段」にも相当するものであり、引用発明の「プリンタドライバ」は本願発明の「データ変換手段」に相当するものであるから、引用発明１の「印刷出力制御手段」と本願発明の「印刷出力制御手段」とは「表示制御手段と、レイアウト情報更新手段と、データ変換手段とを有」する点で一致する。
　
（９）上記（１）ないし（８）からみて、本願発明と引用発明とは、
「アプリケーションソフトウェアで作成されたファイルのデータを印刷装置が認識可能な印刷データに変換し、この印刷データを上記印刷装置に供給して、上記印刷装置に上記ファイルの内容を出力させる印刷出力制御手段と、
　上記ファイルの複数ページを上記印刷装置の１枚の印刷用紙に印刷する場合に印刷する各ページの割り付けを行うための数値で表現可能な位置指定及び上記各ページのページサイズに関するレイアウト情報が記憶される記憶手段とを備え、
　上記印刷出力制御手段は、
　上記ファイルの複数ページを上記印刷装置の１枚の印刷用紙に印刷する場合に、印刷する上記各ページが上記レイアウト情報に応じて割り付けられてなる印刷イメージと、上記レイアウト情報に変更を加えるためにユーザがデータを入力することが可能な上記レイアウト情報を上記数値で表示した操作画面と、印刷を開始するための開始ボタンと、印刷を中止するための中止ボタンとを表示装置の同一画面上に表示させる表示制御手段と、
　ユーザからの、上記表示装置に表示された操作画面への入力を受け付けて、この入力に基づいて上記レイアウト情報を更新するレイアウト情報更新手段と、
　上記ファイルの複数ページを上記印刷装置の１枚の印刷用紙に印刷する場合に、印刷する各ページのデータを上記レイアウト情報に基づいて上記印刷装置が認識可能な印刷データに変換するデータ変換手段とを有し、　
　上記レイアウト情報更新手段は、上記表示制御手段により上記表示装置に表示された上記操作画面への入力によって指示された上記レイアウト情報を更新し、上記表示制御手段は、更新されたレイアウト情報に応じた印刷イメージと操作画面と上記開始ボタンと上記中止ボタンとを上記表示装置の同一画面上に表示する印刷出力制御装置。」の点で一致し、次の点で相違する。
　
相違点：
　前記レイアウト情報更新手段がユーザから受け付ける前記入力が、本願発明では、前記表示制御手段により前記表示装置に表示された前記操作画面への「キーボード入力」であり、さらに、前記表示装置に表示された前記印刷イメージに対する「ドラッグアンドドロップ入力」もユーザから受け付けるのに対して、引用発明では、そのような入力ではない点。
　
５　判断
　上記相違点について検討する。
（１）表示装置に表示された操作画面へのキーボード入力は、本願出願前に周知である（以下「周知技術１」という。例．当審拒絶理由で引用した特開平７−３１１７９０号公報（図１のキーボード１２Ｂ、図２のＳＰ１６の「修正値入力」、図９の修正値５７の「１８６．２５」と「１３１．００」及び【００２６】の「ステップ１６にて、図９に示すように、始点座標１５を「ｘ：１８６．２５，ｙ：１３１（１２６＋５）」とした修正値５７を入力した」との記載参照。）、同じく当審拒絶理由で引用した特開平８−３２４０６３号公報（【００２２】の「マウスやキーボードなどの印刷条件指定入力部１を通じて利用者により設定入力され」との記載、【００２７】の「印刷部数、印刷ページ数、その他の設定を行う。」の記載及び印刷条件設定入力画面の例を示す図５の「部数：□」と「ページ：●全ページ　○□から□まで」の記載参照。））。
　
（２）表示装置に表示された図形や画像等の位置をマウスで図形や画像等をドラッグして修正することは、本願出願前に周知である（以下「周知技術２」という。例．上記特開平７−３１１７９０号公報（【０００３】、【０００４】、図１４〜図１８参照。）、当審拒絶理由で引用した特開平１０−１５０５２１号公報（【００４４】、【００５９】、【００７８】、【００７９】、【００８４】及び図５参照。））。
　
（３）引用発明の「レイアウト情報更新手段」は、「上記表示制御手段により上記表示装置に表示された上記操作画面への入力によって指示された上記レイアウト情報を更新」するものであるところ、引用発明において、上記表示装置に表示された操作画面へのキーボード入力でレイアウト情報を細かく変更できるようにしたり、上記表示装置に表示された「印刷イメージ」の位置を、マウスによる「印刷イメージ」のドラッグで修正して、レイアウト情報を簡易に変更できるようにしたりすることは、上記（１）及び（２）からみて、当業者が周知技術１及び周知技術２に基づいて容易に想到することができた程度のことである。
　
（４）上記（３）の「上記表示装置に表示された操作画面へのキーボード入力でレイアウト情報を細かく変更できるようにしたり、上記表示装置に表示された印刷イメージの位置を、マウスによる印刷イメージのドラッグで修正して、レイアウト情報を簡易に変更できるようにしたりすること」は、本願発明の「ユーザからの、上記表示装置に表示された操作画面へのキーボード入力と上記表示装置に表示された印刷イメージに対するドラッグアンドドロップ入力を受け付けて、この入力に基づいて上記レイアウト情報を更新する」こと及び「上記表示制御手段により上記表示装置に表示された上記操作画面へのキーボード入力と上記印刷イメージに対するドラックアンドドロップ入力とによって指示された上記レイアウト情報を更新」することに相当するから、引用発明において、上記相違点に係る本願発明の構成となすことは、上記（３）からみて、当業者が周知技術１及び周知技術２に基づいて容易になし得た程度のことである。
　
（５）本願発明の奏する効果は、引用発明の奏する効果、周知技術１の奏する効果及び周知技術２の奏する効果から、当業者が予測することができた程度のものである。
　
（６）したがって、本願発明は、当業者が引用例に記載された発明、周知技術１及び周知技術２に基づいて容易に発明をすることができたものである。
　
７　むすび
　本願発明は、以上のとおり、当業者が引用例に記載された発明、周知技術１及び周知技術２に基づいて容易に発明をすることができたものであるから、特許法第２９条第２項の規定により特許を受けることができない。
　よって、結論のとおり審決する。